(57)【要約】【課題】登録時または着信時に、電話機の表示面上の文字表示またはテンキーのうちの特定のテンキーの点灯表示で確認しなくても、通信先を容易に確認することができる通信機器における照光表示方式を提供する。【解決手段】通信機器において、該通信機器に付帯する電話帳機能に各通信先の識別情報は、当該通信機器のＬＣＤ画面上で、該各通信先の管理種別のグループ毎に、相異なる予め定めた表示色で表示されるように設定され、新たな通信先の登録を行う操作が行われたときにまたはその通信機器に着信があったときには、前記ＬＣＤ画面上への前記予め定めた表示色による表示とともに、当該通信先が属する前記管理種別のグループに割り当てられた前記表示色で該通信機器のキートップをＬＥＤ照光表示するように構成されている。【選択図】      図３
2004172967.tif 000002
【特許請求の範囲】
【請求項１】
通信機器において、
該通信機器に付帯する電話帳機能に登録する各通信先の識別情報は、当該通信機器のＬＣＤ画面上で、該各通信先の管理種別のグループ毎に、相異なる予め定めた表示色で表示されるように設定され、
新たな通信先の登録を行う操作が行われたときには、前記ＬＣＤ画面上への前記予め定めた表示色による表示とともに、当該通信先が属する前記管理種別のグループに割り当てられた前記表示色で該通信機器のキートップをＬＥＤ照光表示するように構成された
通信機器における照光表示方式。
【請求項２】
通信機器において、
該通信機器に付帯する電話帳機能に予め登録されている各通信先の識別情報は、当該通信機器のＬＣＤ画面上で、該各通信先の管理種別のグループ毎に、相異なる予め定めた表示色で表示されるように設定され、
該通信機器に着信があったときに、当該着信が前記予め登録されている各通信先のいずれかからの着信であったときには、前記ＬＣＤ画面上への前記予め定めた表示色による表示とともに、当該通信先が属する前記管理種別のグループに割り当てられた前記表示色で該通信機器のキートップをＬＥＤ照光表示するように構成された
通信機器における照光表示方式。
【発明の詳細な説明】
【０００１】
【発明の属する技術分野】
本発明は、ＬＥＤ照光自照キートップと電話帳機能とを有する携帯電話機／固定電話機等の通信機器に関するものであり、特に、その照光表示に関するものである。
【０００２】
【従来の技術】
携帯電話機を含む電話機に対するキートップ照光表示は、例えば、着信時の着信表示では、従来専ら着信音による着信表示が行われている。この場合の着信時には、着信音を聞いてから送受話器を取りあげるか、受話ボタン操作により、受話操作をしている。
また、最近には電話機に発信者表示機能を持たせることも行われているものもある。
【０００３】
【発明が解決しようとする課題】
前記の通常の着信音による着信表示では、通常は受話器を取り上げるか受話ボタンを押したときには、何処からの着信なのかを直観的に判断することができない。
また、発信者表示機能を持たせたものでは、電話機の表示面に、その着信呼を発信した発信元の加入者番号を表示しているので、着信時にその電話機の表示面を見なければ、その着信呼を発信した発信元を確認することができない。
【０００４】
上記の如き「着信時にその電話機の表示面を見なければ、その着信呼を発信した発信元を確認することができない」とする従来の電話機の着信表示方式の欠点を解決する提案がある（例えば、特許文献１参照）。
【０００５】
【特許文献１】
特開２００１ー１６３１６３号公報
【０００６】
【発明が解決しようとする課題】
しかし、この提案では、例えば、×印の図形を、テンキーの「１」，「３」，「５」，「７」，「９」のキートップを特定の色で点灯することにより、表示して、その図形と色により発信元の加入者を表示しているので、その図形と色の組み合わせを記憶していなければ、着信時に直ちに発信元の加入者を認識することができない。
さらに、各発信元の加入者についてその図形と色の組み合わせが異なることになるので、予想される発信元の加入者が多い場合には、当然この図形と色の組み合わせの数も増大することになり、これらを全て記憶しておいて、各着信時に直ちに各発信元の加入者を認識することは殆ど不可能である。
【０００７】
本発明の目的は、従来技術の上記の如き欠点を考慮して、登録時または着信時に、電話機の表示面上の文字表示またはテンキーのうちの特定のテンキーの点灯表示で確認しなくても、通信先を容易に確認することができる通信機器における照光表示方式を提供することにある。
【０００８】
【課題を解決するための手段】
この目的を達成するために、本発明による通信機器における照光表示方式は、通信機器において、該通信機器に付帯する電話帳機能に登録する各通信先の識別情報は、当該通信機器のＬＣＤ画面上で、該各通信先の管理種別のグループ毎に、相異なる予め定めた表示色で表示されるように設定され、
新たな通信先の登録を行う操作が行われたときには、前記ＬＣＤ画面上への前記予め定めた表示色による表示とともに、当該通信先が属する前記管理種別のグループに割り当てられた前記表示色で該通信機器のキートップをＬＥＤ照光表示するように構成されている。
また、本発明による通信機器における照光表示方式は、通信機器において、該通信機器に付帯する電話帳機能に予め登録されている各通信先の識別情報は、当該通信機器のＬＣＤ画面上で、該各通信先の管理種別のグループ毎に、相異なる予め定めた表示色で表示されるように設定され、
該通信機器に着信があったときに、当該着信が前記予め登録されている各通信先のいずれかからの着信であったときには、前記ＬＣＤ画面上への前記予め定めた表示色による表示とともに、当該通信先が属する前記管理種別のグループに割り当てられた前記表示色で該通信機器のキートップをＬＥＤ照光表示するように構成されている。
【０００９】
【作用】
このような構成により、ビジネス分野で電話帳機能を有する携帯電話機及び固定電話機等の通信機器における電話帳検索，着信表示のほか電話帳登録が、各通信先の管理種別のグループ毎に行われ、しかも、その各通信先の管理種別のグループ毎に予め定めた特定の色で、通信機器のＬＣＤ画面上に表示され、また、キートップはＬＥＤ照光表示される。従って、各登録時または各着信時に、直ちに各通信先の管理種別のグループを認識することができ、これにより各着信時には各通信先の管理種別のグループを認識した上での着信対応ができることになる。
【００１０】
【発明の実施の形態】
図１は、本発明を携帯電話機に適用した場合を説明するための携帯電話機の構造例を示す平面図である。ここで、１は着信ランプ、２は電話帳キー（記号部印刷抜き）、３は左検索キー（クリア透明）、４はダイアル／通話／切／再ダイアルキー、５は上下検索トラックボール（中心部透明ラバー）、６は右検索キー（クリア透明）、７はメールキー（記号部印刷抜き）、８はカラーＬＣＤ画面である。
【００１１】
図２は、図１に示す携帯電話機の表示面８における表示例を示す平面図である。
ここで、ａ）はアイコン、ｂ）は文字、ｃ）は選択バー、ｄ）は背景／帯である。ここで、本発明に用いられている電話帳機能とグループ分け表示は、例えば、表１の通りである。
【００１２】
【表１】
2004172967.tif 000003
【００１３】
また、この場合にＬＥＤ照光するキートップは、図３に示すように、着信ランプ１、記号部印刷抜きの電話帳キー２、クリア透明の左検索キー３、ダイアル／通話／切／再ダイアルキー４、中心部透明ラバーの上下検索トラックボール５、クリア透明の右検索キー６である。
【００１４】
図４は、本発明を実施する場合の通信機器の電子回路構成例を示すブロック図であり、１１はキートップ１２はＬＣＤ画面、１３はメモリ、１４はＣＰＵ、１５はＬＥＤ、１６は送受信部である。
【００１５】
図５は、本発明の固定電話機に適用した場合の構造例を示す平面図である。ここで、２１は着信ランプ、２２はＬＣＤ画面、２３はワンタッチキー、２４は局線キー、２５は機能系キー／ダイヤルキー、２６は保留／決定キー、２７は十字カーソルキー（電話帳・音量・／検索・メニュー）、２８は発信キーである。
【００１６】
ＬＥＤ自照式キー構造については、適宜の構造を採用することができるが、ＬＣＤで表示される電話帳機能の各グループの色と同一の色で、キートップのＬＥＤを照光させる。
キートップ操作文字（電話帳キー／上下検索キー／ダイヤルキー等）は抜き文字とし、文字周辺エリアを不透過の材料とすることにより、ＬＥＤ照光時に操作文字／記号が照光する。
上下検索路トラックボールについては、ボール中心は透明ラバーとし、ラバー周辺エリアを不透過の材料とすることにより、ＬＥＤ照光時にボール中心ラバーが照光する。
左右キーについては、材料はクリア透明とし、ＬＥＤ照光時に全体が照光する。
電話帳機能の各グループに設定してある色を選択すると、以下のキー関連が同時または個別に自照する。
ａ）着信ランプ
ｂ）電話帳キー
ｃ）左検索キー
ｄ）ダイアル／通話／切／再ダイアルキー
ｅ）上下検索トラックボール
ｆ）右検索キー
【００１７】
【発明の効果】
以上詳細に説明したように、本発明による通信機器における照光表示方式によれば、ビジネス分野で電話帳機能を有する携帯電話機及び固定電話機における電話帳検索，着信表示のほか電話帳登録が、各通信先の管理種別のグループ毎に行われ、しかも、その各通信先の管理種別のグループ毎に予め定めた特定の色で、通信機器のＬＣＤ画面の表示がなされ、また、キートップはＬＥＤ照光表示される。従って、各着信時に直ちに各通信先の管理種別のグループを認識することができ、これにより各着信時に各通信先の管理種別のグループを認識した上での着信対応ができることになる。従って、着信処理の操作性，効率性に及ぼす本発明の実務的効果は極めて大きい。
【図面の簡単な説明】
【図１】本発明を携帯電話機に適用した場合を説明するための携帯電話機の構造例を示す平面図である。
【図２】図１に示す携帯電話機の表示面における表示例を示す平面図である。
【図３】本発明を携帯電話機に適用した場合にＬＥＤ照光するキートップの例を示す平面である。
【図４】本発明を実施する場合の通信機器の電子回路構成例をしめすブロック図である。
【図５】本発明の固定電話機に適用した場合の構造例を示す平面図である。
【符号の説明】
１  着信ランプ
２  電話帳キー
３  左検索キー
４  ダイアル／通話／切／再ダイアルキー
５  上下検索トラックボール
６  右検索キー
７  メールキー
８  カラーＬＣＤ画面
１１  キートップ
１２  ＬＣＤ画面
１３  メモリ
１４  ＣＰＵ
１５  ＬＥＤ
１６  送受信部
２１  着信ランプ
２２  ＬＣＤ画面
２３  ワンタッチキー
２４  局線キー
２５  機能系キー／ダイヤルキー
２６  保留／決定キー
２７  十字カーソルキー（電話帳・音量・／検索・メニュー）
２８  発信キー
【図１】
2004172967.tif 000004
【図２】
2004172967.tif 000005
【図３】
2004172967.tif 000006
【図４】
2004172967.tif 000007
【図５】
2004172967.tif 000008